(57)【要約】【課題】表示ランプなどの表示手段を増やすことなく新旧硬貨の同時流通に対応でき、また簡易に硬貨受入れ精度の設定変更が行える。【解決手段】入出力パネル１００では、表示ランプ１１１，１２１，１３１，１３２が、それぞれ新旧２種類の５００円硬貨、１００円硬貨、５０円硬貨、および１０円硬貨の受入れ精度の設定状態を表示する。旧貨ランプ１１０は表示ランプ１１１における表示が、新旧硬貨のいずれの５００円硬貨についての設定内容であるかを表示する。操作スイッチ群として金種別の精度設定用に使用する金種スイッチ１５１〜１５４などの他に、簡易設定モードに切替えるためのファンクションスイッチ１６０を備えている。【選択図】図２
2008146281.tif 000002
【特許請求の範囲】
【請求項１】
複数金種の硬貨についてそれぞれ複数の受入れ精度を選択可能に記憶し、前記受入れ精度のいずれかによって投入された硬貨の真贋を識別し、正貨とされた硬貨を金種別に振り分けて収納する硬貨処理装置において、
同一金種として新旧２通り流通する新旧硬貨について、前記受入れ精度をそれぞれ設定するための精度設定手段と、
前記精度設定手段により受入れ可能な金種について設定された設定内容を金種別に表示する金種別精度表示手段と、
前記金種別精度表示手段に前記新旧硬貨のいずれか一方の硬貨についての受入れ精度を切替えて表示させるための表示設定手段と、
前記金種別精度表示手段における表示が、前記新旧硬貨のいずれについての設定内容であるかを表示する新旧識別表示手段と、
を備えたことを特徴とする硬貨処理装置。
【請求項２】
前記新旧識別表示手段は、前記新旧硬貨に対応して点灯、あるいは消灯する表示ランプであることを特徴とする請求項１記載の硬貨処理装置。
【請求項３】
前記精度設定手段は、複数金種のそれぞれについて前記新旧硬貨の受入れ精度を設定するものであることを特徴とする請求項１記載の硬貨処理装置。
【請求項４】
前記金種別精度表示手段は、前記受入れ精度の設定内容の表示、あるいは金種別の硬貨保有状況を確認する表示のいずれかに切替えて表示することを特徴とする請求項１記載の硬貨処理装置。
【請求項５】
前記新旧表示手段、前記精度設定手段、前記表示設定手段、および前記金種別精度表示手段は、いずれも同一の入出力パネルに設けられていることを特徴とする請求項１記載の硬貨処理装置。
【請求項６】
複数金種の硬貨についてそれぞれ複数の受入れ精度を選択可能に記憶し、前記受入れ精度のいずれかによって投入された硬貨の真贋を識別し、正貨とされた硬貨を金種別に振り分けて収納する硬貨処理装置において、
金種別に前記受入れ精度を設定するための精度設定手段と、
前記受入れ精度の設定内容、あるいは金種別の硬貨保有状況のいずれかを金種毎に表示する金種別精度表示手段と、
前記金種別精度表示手段の表示モードを、前記受入れ精度の設定内容の表示、あるいは前記硬貨保有状況の表示のいずれかに設定するための表示設定手段と、
前記表示設定手段によって選択されたモード、あるいは前記精度設定手段によって前記受入れ精度の設定変更が可能な簡易設定モードのいずれかに切替えるためのモード切替え手段と、
を備えたことを特徴とする硬貨処理装置。
【請求項７】
前記モード切替え手段は、前記精度設定手段と同時に操作されたとき、前記精度設定手段により指定された金種に対応するソフトウェアを起動して、前記受入れ精度を設定変更するファンクションスイッチとしての機能を有するものであることを特徴とする請求項６記載の硬貨処理装置。
【請求項８】
前記金種別精度表示手段は、前記簡易設定モード時において、前記受入れ精度が設定変更中であることを金種別に特定する機能を有することを特徴とする請求項６記載の硬貨処理装置。
【請求項９】
前記精度設定手段は、同一金種として新旧２通り流通する新旧硬貨について、前記受入れ精度をそれぞれ設定するようにしたことを特徴とする請求項６記載の硬貨処理装置。
【請求項１０】
前記精度設定手段、前記金種別精度表示手段、前記表示設定手段、および前記モード切替え手段は、いずれも同一の入出力パネルに設けられていることを特徴とする請求項６記載の硬貨処理装置。
【発明の詳細な説明】
【技術分野】
【０００１】
本発明は、投入された硬貨の真贋、および金種を識別して金種別に振り分けて収納する硬貨処理装置に関し、とくに複数金種の硬貨についてそれぞれ複数の受入れ精度を選択可能に記憶し、受入れ精度のいずれかによって投入された硬貨の真贋を識別する硬貨処理装置に関する。
【背景技術】
【０００２】
通常の自動販売機等には、投入硬貨の真偽・金種の識別、釣銭払出等の機能を持つ硬貨処理装置（いわゆるコインメック）が組み込まれていて、偽貨を投入することにより、つり銭や中身商品を搾取する悪戯などを防止している。このような硬貨処理装置においては、本体に装備されたディップスイッチを操作して、硬貨の受入れ精度を必要に応じて管理者が変更する方法を採用していた（たとえば、特許文献１参照）。こうした硬貨の受入れ精度を変更する場合、精度を低下させて正貨の判別範囲を広くすれば、受付率が良くなる反面、偽貨を受け入れてしまう可能性が生じる。また、受入れ精度を高めて判別範囲を狭くすれば、受付率が悪くなる分だけ偽貨を受け入れてしまう可能性が低くなる。
【０００３】
すなわち、この種の犯罪抑止機能を備えた硬貨処理装置では、真偽の判別範囲を狭めると、使い古しや汚れた正規の貨幣（正貨）が受け入れられなくなるなどの不都合が生じる。そのため、自動販売機の設置場所や金種に応じて、硬貨の受入れ精度を切替え可能に設定する必要があった。
【０００４】
ところで、上述した硬貨処理装置には硬貨識別機能だけでなく、受け入れた硬貨を金種別に収納しておいて、その後につり銭として払い出すつり銭払出し機構を備えている。こうしたつり銭払出し機構を有効に活用するためには、つり銭状況を検出して表示する表示手段も必要になる。そこで、従来のディップスイッチによる受入れ精度の設定方法に代えて、複数の操作スイッチとともに表示ランプをひとつの入出力パネルに配置した硬貨処理装置が用いられるようになった。
【０００５】
図５の（ａ）に示すように、硬貨処理装置１の前面には、つり銭回収機能を開始するときなどに用いる操作ボタンや、硬貨の受入れ精度を表示し、あるいは後述するつり銭の状態、つり銭切れ履歴、つり銭切れ時間等のつり銭保留状況を表示可能な複数の表示ランプが配置された入出力パネル１０が設けられている。
【０００６】
また、図５の（ｂ）に示すように、硬貨処理装置１は、図の上部に投入された硬貨を受け入れる硬貨受入口１２を有し、その下部に、投入された硬貨の種類を判定する硬貨識別部１３を備えている。その硬貨識別部１３の下部には、受け入れた硬貨を１００円および５００円か、１０円および５０円かによって振り分けを行うゲートＧ１が設けられている。さらに、ゲートＧ１の下部には、このゲートＧ１によって１０円または５０円として振り分けられた硬貨を金庫へ収金するかどうか振り分けるゲートＧ２Ｒと、金庫へ収金されなかった硬貨を１０円チューブまたは５０円チューブへ振り分けるゲートＧ３Ｒが設けられている。
【０００７】
さらに、ゲートＧ１の下部には、このゲートＧ１によって１００円または５００円として振り分けられた硬貨を、１００円通路１４または５００円通路１５に振り分けるゲートＧ２Ｌが設けられている。そして、硬貨処理装置１の下部には、１０円チューブ、５０円チューブ、１００円チューブ、５００円チューブのつり銭チューブ、および１０円硬貨または１００円硬貨の手動補充のための補助つり銭チューブ（ＳＵＢ）からなるカセットチューブ１１が配置されている。
【０００８】
さらに、カセットチューブ１１の各つり銭チューブの上端近傍には、それぞれ硬貨投入検知センサ１６ａ〜１６ｄが設けられており、各つり銭チューブ内に硬貨が投入された場合にこれを検知する。また、カセットチューブ１１の各つり銭チューブの下端近傍には、それぞれ図示しないつり銭払出検出センサを含むつり銭払出部１７が設けられており、各つり銭チューブ内から硬貨が払い出された場合にこれを検知する。
【０００９】
ここで、従来から使用されている入出力パネルの一例について説明する。図６は、従来の硬貨処理装置１に装備された入出力パネル１０を示す正面図である。
図６では丸印でもって表示ランプを示し、角印で操作スイッチを示す。入出力パネル１０には、モニターランプ１０１，１０２、点検ランプ１０３、モードランプ１０４の他に、１２個の表示ランプ１１１〜１１４，１２１〜１２３，１３１〜１３３，１４１，１４２が表示ランプ群として配置されている。表示ランプ１１１，１１２，１２１，１３１，１３２はいずれも精度表示用ランプであって、それぞれ新５００円硬貨、旧５００円硬貨、１００円硬貨、５０円硬貨、および１０円硬貨の受入れ精度の設定状態を点灯、点滅などによって表示するものである。また、表示ランプ１３３は補助金種（ＳＵＢ金種）を表示する金種ランプ、表示ランプ１１３，１２２はそれぞれ５００円硬貨、１００円硬貨についてのエスクロ設定の有効、無効を表示するエスクロランプ、表示ランプ１１４，１２３はそれぞれ５００円硬貨、１００円硬貨について一時保管部に収納可能な枚数設定状態を表示する収納枚数ランプ、表示ランプ１４１はつり銭返却犯罪の抑止モード設定状態を表示する抑止機能ランプ、表示ランプ１４２は自動販売機の設置条件に応じて設定された同時払出モードを表示する同時払出枚数ランプである。
【００１０】
入出力パネル１０は、操作スイッチ群として金種別の精度設定用に使用する金種スイッチ１５１〜１５４、補助金種を設定する金種スイッチ１５５、抑止オン／オフの切替えを行う抑止スイッチ（Ｔ／ＯＦＦ）１５６、各種モード設定および設定確認モードの切替えに使用する設定・確認スイッチ１５７、点検ランプ１０３に隣接配置されて表示モードの切替えを行う点検スイッチ１５８、およびモードランプ１０４に隣接する開始決定スイッチ１５９を備えている。
【００１１】
この入出力パネル１０は、同一金種の新旧硬貨が流通している状況が想定される場合、それぞれ新旧硬貨を受け入れて、それぞれに受入れ精度を切替えるように構成されている。すなわち、５００円の旧硬貨が流通している状況で新しい５００円硬貨が発行された場合などに、自動販売機で一時的に新旧５００円硬貨の受入れ精度をそれぞれ設定することができる。
【特許文献１】特許第３６７０９０５号公報（段落番号〔０００８〕）
【発明の開示】
【発明が解決しようとする課題】
【００１２】
ところで、このような入出力パネル１０を備えた硬貨処理装置では、５００円硬貨以外の金種で新しい硬貨が発行された場合に対応できなくなるため、既に自動販売機に設置されているものを新しい硬貨処理装置に取り替える必要があった。その場合でも、たとえば入出力パネル１０に１００円硬貨、５０円硬貨、１０円硬貨など、他の全ての硬貨について新旧２通りの表示ランプをあらかじめ設けておけば、内部の処理プログラムを変更するだけで対処できるようになる。
【００１３】
しかし、入出力パネル１０に配置可能な表示手段の数には限りがあることから、表示ランプが増えることは好ましくない。また、入出力パネル１０の限られたスペースには最小限の操作スイッチを設けて、多様な硬貨処理機能を設定している。そのため、表示ランプを増設しただけで新旧多様な硬貨のすべてについて、それぞれの受入れ精度などを効率良く変更設定することは困難であった。
【００１４】
そこで、従来から硬貨処理装置の限られたスペースの入出力パネルに、限られた数の表示手段と操作手段とを配置するだけで、効率良く硬貨処理内容の設定、および表示を行うことが望まれていた。
【００１５】
本発明はこのような点に鑑みてなされたものであり、入出力パネルに配置される表示ランプなどの表示手段を増やすことなく、新旧硬貨の同時流通に対応できる硬貨処理装置を提供することを目的にしている。
【００１６】
また、本発明の別の目的は、入出力パネルに配置された操作スイッチなどの設定手段を効率良く利用して、簡易に硬貨受入れ精度の設定変更を行える硬貨処理装置を提供することである。
【課題を解決するための手段】
【００１７】
本発明では、上記問題を解決するために、複数金種の硬貨についてそれぞれ複数の受入れ精度を選択可能に記憶し、前記受入れ精度のいずれかによって投入された硬貨の真贋を識別し、正貨とされた硬貨を金種別に振り分けて収納する硬貨処理装置において、同一金種として新旧２通り流通する新旧硬貨について、前記受入れ精度をそれぞれ設定するための精度設定手段と、前記精度設定手段により受入れ可能な金種について設定された設定内容を金種別に表示する金種別精度表示手段と、前記金種別精度表示手段に前記新旧硬貨のいずれか一方の硬貨についての受入れ精度を切替えて表示させるための表示設定手段と、前記金種別精度表示手段における表示が、前記新旧硬貨のいずれについての設定内容であるかを表示する新旧識別表示手段と、を備えたことを特徴とする硬貨処理装置が提供される。
【００１８】
この発明によれば、新旧識別表示手段をひとつ設けて、金種別精度表示手段における表示が新旧硬貨のいずれについての設定内容であるかを表示することによって、入出力パネルに配置される表示ランプなどの表示手段を増やすことなく、新旧硬貨の同時流通に対応できる。
【００１９】
また、本発明では、複数金種の硬貨についてそれぞれ複数の受入れ精度を選択可能に記憶し、前記受入れ精度のいずれかによって投入された硬貨の真贋を識別し、正貨とされた硬貨を金種別に振り分けて収納する硬貨処理装置において、金種別に前記受入れ精度を設定するための精度設定手段と、前記受入れ精度の設定内容、あるいは金種別の硬貨保有状況のいずれかを金種毎に表示する金種別精度表示手段と、前記金種別精度表示手段の表示モードを、前記受入れ精度の設定内容の表示、あるいは前記硬貨保有状況の表示のいずれかに設定するための表示設定手段と、前記表示設定手段によって選択されたモード、あるいは前記精度設定手段によって前記受入れ精度の設定変更が可能な簡易設定モードのいずれかに切替えるためのモード切替え手段と、を備えたことを特徴とする硬貨処理装置が提供される。
【００２０】
この発明によれば、入出力パネルに配置された複数の精度設定手段のいずれかをモード切替え手段と同時に操作するようにしたので、金種毎に設けられた操作スイッチなどの設定手段を効率良く利用して、簡易に硬貨受入れ精度の設定変更を行える。
【発明の効果】
【００２１】
本発明の硬貨処理装置では、限られたスペースの入出力パネルに、限られた数の表示手段と操作手段とを配置するだけで、効率良く硬貨処理内容の設定、および表示を行うことができる。
【発明を実施するための最良の形態】
【００２２】
以下、図面を参照してこの発明の実施の形態について説明する。図１は、硬貨処理装置における硬貨処理制御を行うための制御機構を示すブロック図である。
制御部２０は、マイクロコンピュータ（以下「マイコン」という）とメモリが内蔵され、図５に示した硬貨処理装置の背面に配置され、各ゲート、レバー、およびセンサなどを作動制御するものであって、それぞれ入出力パネル１００、硬貨識別部１３、およびつり銭払出部１７と接続されている。硬貨識別部１３は、硬貨識別センサ１３ｓと受入れ硬貨振分け機構１３ｍとから構成され、投入された硬貨の真贋、および金種を識別して金種別に硬貨を振り分けて収納する。つり銭払出部１７は、つり銭検出センサ１７ｓとつり銭払出し機構１７ｍとから構成されている。
【００２３】
ここでは、制御部２０のメモリに複数金種の硬貨についてそれぞれ複数の受入れ精度が選択可能に記憶され、選択された受入れ精度のいずれかによって投入された硬貨の真贋を識別するようにしている。
【００２４】
図２は、実施の形態に係る入出力パネル１００のスイッチおよびランプの配置を示す正面図である。
入出力パネル１００は、モニターランプ１０１，１０２、点検ランプ１０３、モードランプ１０４の他に、従来の入出力パネル１０（図６）と同様に１２個の表示ランプ群として、表示ランプ１１１，１１３，１１４，１２１〜１２３，１３１〜１３３，１４１，１４２および旧貨ランプ１１０が配置されている。ただし、この入出力パネル１００は、旧５００円硬貨の精度表示用ランプに代えて旧貨ランプ１１０が設けられている点に特徴がある。
【００２５】
ここで、旧貨ランプ１１０は表示ランプ１１１，１２１，１３１，１３２における表示が、新旧硬貨のいずれについての設定内容であるかを表示する新旧識別表示手段として機能する。そのため、表示ランプ１１１，１２１，１３１，１３２を金種別精度表示手段として、それぞれ点灯、点滅、あるいはその点滅速度の切替えなどによって区別して、新旧２種類の５００円硬貨、１００円硬貨、５０円硬貨、および１０円硬貨の受入れ精度の設定状態を表示することができる。なお、補助金種（ＳＵＢ金種）用の表示ランプ１３３、エスクロ設定用の表示ランプ１１３，１２２、収納枚数設定用の表示ランプ１１４，１２３、犯罪抑止機能用の表示ランプ１４１、同時払出枚数設定用の表示ランプ１４２は、図６のものと対応している。
【００２６】
この入出力パネル１００には、操作スイッチ群として、通常は金種別の精度設定用に使用する精度設定手段としての金種スイッチ１５１〜１５４、補助金種を設定する金種スイッチ１５５、抑止オン／オフの切替えを行う抑止スイッチ（Ｔ／ＯＦＦ）１５６、各種モード設定および設定確認モードの切替えに使用する表示設定手段としての設定・確認スイッチ１５７、点検ランプ１０３に隣接配置されて表示モードの切替えを行う点検スイッチ１５８、およびモードランプ１０４に隣接する開始決定スイッチ１５９の他に、簡易設定モードに切替えるモード切替え手段として、ファンクションスイッチ（Ｆｎ）１６０を備えている。
【００２７】
つぎに、上述した入出力パネル１００での金種スイッチ１５１〜１５４、金種スイッチ１５５、抑止スイッチ１５６、設定・確認スイッチ１５７、点検スイッチ１５８、開始決定スイッチ１５９およびファンクションスイッチ１６０の操作と、硬貨の受入れ精度の表示設定について説明する。
【００２８】
金種別の精度設定用の金種スイッチ１５１〜１５４は、２通りの新旧硬貨について、受入れ精度をそれぞれ設定することができる。また、これらの金種スイッチ１５１〜１５４は、受入れ精度以外にも、受入れ可能な金種について設定された設定内容として、表示ランプ１１１，１２１，１３１，１３２によりカセットチューブ１１でのつり銭硬貨の保有状況を金種別に表示できる。
【００２９】
また、設定・確認スイッチ１５７を用いることで、新旧硬貨のいずれか一方の５００円硬貨についての受入れ精度が、ひとつの表示ランプ１１１で切替えて表示される。その場合、旧貨ランプ１１０の点灯、あるいは消灯に応じて、新旧５００円硬貨のいずれについての設定内容であるかを区別する。
【００３０】
また、設定・確認スイッチ１５７は、表示ランプ１１１，１２１，１３１，１３２の表示モードを、受入れ精度の設定内容の表示、および金種別硬貨保有状況の表示のいずれかのモードに設定できる。
【００３１】
さらに、ファンクションスイッチ１６０を押下しながら金種スイッチ１５１〜１５４を操作することによって、簡易に硬貨受入れ精度の設定変更が可能な簡易設定モードとなる。
【００３２】
ここでは、５００円、１００円、５０円、１０円硬貨が受入れ硬貨となっていて、５００円硬貨についてのみ、新旧硬貨について受入れ精度が設定されるものとして説明した。しかし、以下に説明するように、この旧貨ランプ１１０を利用することにより、５００円硬貨に限定されないで、すべての金種で新旧硬貨の受入れ精度の設定内容を区別して表示できる。
【００３３】
つぎに、硬貨処理装置１の入出力パネル１００における表示切替え時のスイッチ操作処理および表示制御の一例を説明する。図３は、新旧硬貨の精度表示を切替える手順、および精度設定内容を表示する手順を示すフローチャートである。
【００３４】
まず、図３の（ａ）に示すステップＳ１１〜Ｓ１３に沿って、制御部２０における精度表示の切替え処理について説明する。
〔ステップＳ１１〕制御部２０で、硬貨受入れ精度を設定したり確認したりするための設定確認モードとなっているか否かを判断する。ここで、入出力パネル１００の設定・確認スイッチ１５７が操作されて、新旧硬貨のいずれかの設定確認モードに設定されていた場合、処理をステップＳ１２に進める。制御部２０では、つり銭保留状況の表示など設定確認モード以外の表示モードに設定されていれば、対応する表示モードにおける処理を実行する。
【００３５】
〔ステップＳ１２〕新旧硬貨のいずれかの設定確認モードであると、さらに入出力パネル１００の設定・確認スイッチ１５７が押されているか否かを判断する。設定・確認スイッチ１５７が押されていれば処理をステップＳ１３に進め、設定・確認スイッチ１５７が押されていない状態であれば、設定確認モードを終了してつぎの処理へ移る。
【００３６】
〔ステップＳ１３〕それ以前の表示モードが同時流通している新旧硬貨の一方から他方へ、表示モードの切替えが行われる。すなわち、入出力パネル１００で旧貨ランプ１１０の点灯時に設定・確認スイッチ１５７が押されていれば、旧貨ランプ１１０が消灯して新硬貨表示モードとなって、表示ランプ１１１では新５００円硬貨の精度表示を行う。反対に、それまで新硬貨表示モードであれば、旧硬貨表示モードに切替わって、消灯していた旧貨ランプ１１０が点灯して旧５００円硬貨についての受入れ精度が表示される。
【００３７】
つぎに、図３の（ｂ）に示すステップＳ２１〜Ｓ２５に沿って、入出力パネル１００に設けた旧貨ランプ１１０のオンオフ表示と受入れ精度設定内容の表示の手順について説明する。
【００３８】
〔ステップＳ２１〕ステップＳ１１と同様に、制御部２０が硬貨受入れ精度を設定したり確認したりするための設定確認モードとなっているか否かを判断する。このステップＳ２１では、新旧硬貨のいずれかの設定確認モードに設定されていれば、処理をステップＳ２２に進めるが、それ以外の表示モードであれば、その表示モードに進む。
【００３９】
〔ステップＳ２２〕新硬貨表示モードか否かを判断し、制御部２０が新硬貨表示モードであればステップＳ２３に進む。
〔ステップＳ２３〕入出力パネル１００の旧貨ランプ１１０を消灯（ＯＦＦ）して、表示ランプ１１１では新５００円硬貨の受入れ精度設定内容が表示される。同時に、各表示ランプ１２１，１３１，１３２では、１００円、５０円、１０円の現行硬貨の受入れ精度設定内容を表示する。
【００４０】
〔ステップＳ２４〕旧硬貨表示モードか否かを判断し、制御部２０が旧硬貨表示モードであればステップＳ２５に進む。
〔ステップＳ２５〕入出力パネル１００の旧貨ランプ１１０を点灯（ＯＮ）して、表示ランプ１１１では旧５００円硬貨の受入れ精度設定内容が表示される。このとき、各表示ランプ１２１，１３１，１３２は消灯する。
【００４１】
ここでは、入出力パネル１００の旧貨ランプ１１０に代えて、新５００円硬貨の受入れ精度設定内容を表示する際に、旧貨ランプ１１０とは逆に点灯する「新貨ランプ」のようなものを設けてもよい。
【００４２】
以上に説明した表示切替え時のスイッチ操作処理および表示制御によって、入出力パネル１００に配置される表示ランプなどの表示手段を増やすことなく、新旧の５００円硬貨が同時流通する場合に、容易に対応できるようになる。しかも、その後に１００円硬貨の新硬貨が発行されたとしても、その処理プログラムを変更するだけで対処できる。さらに、同時に複数金種の硬貨について新旧硬貨が流通するような場合でも、それぞれの受入れ精度を設定することが可能である。すなわち、入出力パネル１００に旧貨ランプ１１０を設けたことにより、新旧硬貨が５００円硬貨だけ用いられる場合だけでなく、５００円硬貨と１００円硬貨などのように、複数金種のそれぞれについて新旧硬貨が同時に流通している場合でも、それらの受入れ精度についての設定内容を識別表示することができる。
【００４３】
つぎに、硬貨処理装置１の入出力パネル１００における簡易設定モード時のスイッチ操作処理および簡易設定中の表示制御の一例を説明する。図４は、硬貨受入れ精度の簡易設定手順、およびその表示手順を示すフローチャートである。
【００４４】
まず、図４の（ａ）に示すステップＳ３１〜Ｓ３８に沿って、制御部２０における硬貨受入れ精度を切替えて設定する処理について説明する。
〔ステップＳ３１〕制御部２０で、入出力パネル１００のファンクションスイッチ１６０が押されているか否かを判断する。ファンクションスイッチ１６０が押されていれば、処理をステップＳ３２に進める。
【００４５】
〔ステップＳ３２〕制御部２０を簡易設定モードに設定して、処理をステップＳ３３へと進める。
〔ステップＳ３３〕入出力パネル１００の他のスイッチが押されたか否かを判断する。制御部２０では、簡易設定モード時にたとえば金種スイッチ１５１〜１５５が押された場合、処理をつぎのステップＳ３４に進める。
【００４６】
〔ステップＳ３４〕ファンクションスイッチ１６０が押された状態で、入出力パネル１００の金種スイッチ１５１〜１５５の操作することで、対応する設定内容に切替えてステップＳ３１に戻る。たとえば、金種スイッチ１５１が１回押下されたとすれば、５００円硬貨の受入れ精度が１ランクだけアップし、再度押圧されたとき、さらにもう１ランク上の受入れ精度に設定される。なお、金種スイッチ１５５を押圧することで、補助金種を１０円硬貨と５０円硬貨との間で切替えて設定するようにしてもよい。
【００４７】
〔ステップＳ３５〕ステップＳ３１では、入出力パネル１００のファンクションスイッチ１６０が押下されないとき、ステップＳ３５に進んで、制御部２０が簡易設定モードとなっているか否かを判断する。簡易設定モードであれば、処理をつぎのステップＳ３６に進めるが、既に簡易設定モードでなければ別の処理モードに進む。
【００４８】
〔ステップＳ３６〕制御部２０で簡易設定モードの設定を解除してステップＳ３７へ進む。
〔ステップＳ３７〕簡易設定モードで受入れ精度や補助金種の設定内容が切替えられているか否かを判断する。ここで、設定内容の切替えがあると判断されると、つぎのステップＳ３８へ進む。設定内容に変更がなければ、簡易設定処理を終了し、つぎの処理モードに進む。
【００４９】
〔ステップＳ３８〕制御部２０のメモリに、変更されたすべての設定内容を記憶して、処理を簡易設定終了し、つぎの処理モードに進む。
つぎに、図４の（ｂ）に示すステップＳ４１，Ｓ４２に沿って、入出力パネル１００における簡易設定中の表示の手順について説明する。
【００５０】
〔ステップＳ４１〕ステップＳ３５と同様に、制御部２０が簡易設定モードとなっているか否かを判断する。
〔ステップＳ４２〕制御部２０が簡易設定モードであれば、表示ランプ１１１，１２１，１３１，１３２，１３３のうち設定変更中のものを点灯するなどして、つぎの表示モードに進む。
【００５１】
このように設定変更中の表示を行うことで、簡易設定モード時であっても受入れ精度の設定操作が終了した金種を容易に判別できる。
以上に説明した簡易設定モード時のスイッチ操作処理および簡易設定中の表示制御によって、入出力パネル１００に配置された操作スイッチなどの設定手段を効率良く利用して、硬貨受入れ精度の設定変更を簡易に行うことができるようになる。
【００５２】
なお、図４に示した簡易設定モード時のスイッチ操作処理および簡易設定中の表示制御は一例に過ぎず、たとえばつり銭返却犯罪の抑止モードの設定処理や一時保管部での収納可能な枚数設定処理などの設定変更にも適用できる。
【図面の簡単な説明】
【００５３】
【図１】硬貨処理装置における硬貨処理制御を行うための制御機構を示すブロック図である。
【図２】実施の形態に係る入出力パネルのスイッチおよびランプの配置を示す正面図である。
【図３】（ａ）は新旧硬貨の精度表示を切替える手順を示すフローチャート、（ｂ）は精度設定内容を表示する手順を示すフローチャートである。
【図４】（ａ）は硬貨受入れ精度の簡易設定手順を示すフローチャート、（ｂ）はその表示手順を示すフローチャートである。
【図５】（ａ）は従来の硬貨処理装置を示す正面図、（ｂ）はその前面パネルを取り外した状態を表す図である。
【図６】従来の硬貨処理装置に装備された入出力パネルを示す正面図である。
【符号の説明】
【００５４】
１３  硬貨識別部
１７  つり銭払出部
１００  入出力パネル
１１０  旧貨ランプ
１１１，１１３，１１４，１２１〜１２３，１３１〜１３３，１４１，１４２  表示ランプ
１５１〜１５５  金種スイッチ
１５６  抑止スイッチ
１５７  設定・確認スイッチ
１５８  点検スイッチ
１５９  開始決定スイッチ
１６０  ファンクションスイッチ
【図１】
2008146281.tif 000003
【図２】
2008146281.tif 000004
【図３】
2008146281.tif 000005
【図４】
2008146281.tif 000006
【図５】
2008146281.tif 000007
【図６】
2008146281.tif 000008